(57)【要約】【課題】ユーザーによる利用形態に応じて適切に画像形成装置の消費電力を低減することを安価に実現する。【解決手段】複数の機能動作部と電源電圧を生成する電源部と各機能動作部への電源電圧の供給又は遮断を定めた給電パターン情報を複数記憶するパターン情報記憶部とを備えた画像形成装置と、給電パターン情報を識別するための給電パターン識別情報を複数記憶する識別情報記憶部と記憶されている複数の給電パターン識別情報の一つを択一的に選択する操作を行わせる選択操作部と選択された給電パターン識別情報を出力する出力部とを備えたＩＣカードとを備える。画像形成装置は、出力された給電パターン識別情報を取得し、取得した給電パターン識別情報に対応する給電パターン情報をパターン情報記憶部から取得する。この取得された給電パターン情報に基づいて各機能動作部への電源電圧の供給又は遮断を切り替える。【選択図】図３
2014068185.tif 000002
【特許請求の範囲】
【請求項１】
複数の処理をそれぞれ実行する複数の機能動作部と、
前記複数の機能動作部で用いられる電源電圧を生成する電源部と、
前記電源部から前記各機能動作部への前記電源電圧の供給又は遮断を定めた情報である給電パターン情報を複数記憶するパターン情報記憶部と、
を備えた画像形成装置と、
前記給電パターン情報を識別するための情報である給電パターン識別情報を複数記憶する識別情報記憶部と、
前記識別情報記憶部に記憶されている複数の前記給電パターン識別情報の一つを択一的に選択する操作をユーザーに行わせるための選択操作部と、
前記選択操作部によって選択された前記給電パターン識別情報を出力する出力部と、
を備えたＩＣカードと、
を備え、
前記画像形成装置は、
前記出力部によって出力された前記給電パターン識別情報を取得する処理である識別情報取得処理を実行する識別情報取得部と、
前記パターン情報記憶部に記憶されている複数の前記給電パターン情報のうち、前記識別情報取得部によって取得された前記給電パターン識別情報に対応する前記給電パターン情報を取得するパターン情報取得部と、
前記パターン情報取得部によって取得された前記給電パターン情報に基づいて、前記電源部から前記各機能動作部への前記電源電圧の供給又は遮断を切り替える電源制御部と、
を更に備える給電制御システム。
【請求項２】
前記識別情報記憶部は、更に、ユーザーを識別するための情報であるユーザー識別情報を記憶し、
前記出力部は、更に、前記識別情報記憶部に記憶されている前記ユーザー識別情報を出力し、
前記画像形成装置は、
予め前記画像形成装置を利用することが許可されたユーザーである認証ユーザーに対応する前記ユーザー識別情報を記憶する認証ユーザー情報記憶部と、
前記出力部によって出力された前記ユーザー識別情報を取得するユーザー識別情報取得部と、
前記ユーザー識別情報取得部によって取得された前記ユーザー識別情報が、前記認証ユーザー情報記憶部に記憶されている複数の前記ユーザー識別情報のうちの何れかに一致する場合に、前記ユーザー識別情報に対応するユーザーが前記認証ユーザーであることを認証するユーザー認証部と、
を更に備え、
前記識別情報取得部は、前記ユーザー識別情報取得部によって取得された前記ユーザー識別情報に対応するユーザーが前記認証ユーザーであることが前記ユーザー認証部によって認証された場合にのみ、前記識別情報取得処理を実行する請求項１に記載の給電制御システム。
【請求項３】
前記電源制御部は、前記パターン情報取得部によって、前記識別情報取得処理の実行によって取得された前記給電パターン識別情報に対応する前記給電パターン情報が取得されなかった場合には、前記電源部から全ての前記機能動作部へ前記電源電圧を供給する請求項１又は２に記載の給電制御システム。
【請求項４】
前記ＩＣカードは、
前記選択操作部の操作によって選択された一の前記給電パターン識別情報を表示する表示部を更に備える請求項１から３の何れか一項に記載の給電制御システム。
【請求項５】
前記ＩＣカードは、
前記画像形成装置との間で信号を送受信するアンテナと、
情報を記憶するメモリーと、前記メモリーから情報を読み出して、読み出した情報を示す信号を前記アンテナへ出力する読出部とを備えた、前記識別情報記憶部に記憶する前記給電パターン識別情報の数である識別数と同数のＩＣチップと、
を備え、
前記識別情報記憶部は、前記識別数と同数のＩＣチップの各メモリーを含み、前記各メモリーは、前記各給電パターン識別情報をそれぞれ一つずつ記憶し、
前記選択操作部は、前記識別数と同数のＩＣチップのうち一つを択一的に選択して、選択されたＩＣチップを動作させる操作を行うためのスイッチであり、
前記出力部は、前記アンテナと、前記識別数と同数のＩＣチップの前記各読出部と、を含む請求項１から４の何れか一項に記載の給電制御システム。
【請求項６】
複数の処理をそれぞれ実行する複数の機能動作部と、前記複数の機能動作部で用いられる電源電圧を生成する電源部と、前記電源部から前記各機能動作部への前記電源電圧の供給又は遮断を定めた情報である給電パターン情報を複数記憶するパターン情報記憶部と、前記給電パターン情報に基づいて、前記電源部から前記各機能動作部への前記電源電圧の供給又は遮断を切り替える電源制御部と、を備えた画像形成装置に向けて情報を出力するＩＣカードであって、
前記給電パターン情報を識別するための情報である給電パターン識別情報を複数記憶する識別情報記憶部と、
前記識別情報記憶部に記憶されている複数の前記給電パターン識別情報の一つを択一的に選択する操作をユーザーに行わせるための選択操作部と、
前記選択操作部によって選択された前記給電パターン識別情報を出力する出力部と、
を備えるＩＣカード。
【請求項７】
複数の処理をそれぞれ実行する複数の機能動作部と、
前記複数の機能動作部で用いられる電源電圧を生成する電源部と、
前記電源部から前記各機能動作部への前記電源電圧の供給又は遮断を定めた情報である給電パターン情報を複数記憶するパターン情報記憶部と、
前記給電パターン情報を識別するための情報である給電パターン識別情報を複数記憶する識別情報記憶部と、前記識別情報記憶部に記憶されている複数の前記給電パターン識別情報の一つを択一的に選択する操作をユーザーに行わせるための選択操作部と、前記選択操作部によって選択された前記給電パターン識別情報を出力する出力部と、を備えるＩＣカードを用いて、前記出力部によって出力された前記給電パターン識別情報を取得するための識別情報取得処理を実行する識別情報取得部と、
前記パターン情報記憶部に記憶されている複数の前記給電パターン情報のうち、前記識別情報取得部によって取得された前記給電パターン識別情報に対応する前記給電パターン情報を取得するパターン情報取得部と、
前記パターン情報取得部によって取得された前記給電パターン情報に基づいて、前記電源部から前記各機能動作部への前記電源電圧の供給又は遮断を切り替える電源制御部と、
を備える画像形成装置。
【発明の詳細な説明】
【技術分野】
【０００１】
本発明は、給電制御システム、ＩＣカード、及び画像形成装置に関し、特に、ＩＣカードから取得した情報に基づいて、画像形成装置に備わる各機能動作部への電源電圧の供給又は遮断を制御する技術に関する。
【背景技術】
【０００２】
従来から、コピー機能、ファクシミリ機能、スキャナー機能、及びプリンター機能等の複数の機能を実行可能な所謂ＭＦＰ（Multi Function Peripheral）と呼ばれる画像形成装置が知られている。また、このような画像形成装置において、例えば予め定められた期間内に何ら操作が行われない場合等に、画像の形成を行うための画像形成部への電源電圧の供給を遮断し、ユーザーの操作指示を受け付けるための操作部等の必要最小限の機能動作部のみに電源電圧の供給を行う省電力モード（待機モード又はスリープモードとも称される）に動作モードを移行し、画像形成装置の消費電力を低減する技術が知られている。そして、省電力モード中に操作部によってユーザーからの操作指示が受け付けられると、電源部から全ての機能動作部への電源電圧の供給を行う通常モードに動作モードを移行する技術が知られている。
【０００３】
例えば、下記特許文献１には、画像形成装置本体の電源起動時又は省電力モードからの復帰時に、スキャナー機能やファクシミリ機能を主として利用し、コピー機能やプリンター機能等の用紙に画像を形成する印刷機能はあまり利用しないユーザーに対しては、スキャナー機能やファクシミリ機能に関わる機能動作部のみに電源の供給を行うことによって、ユーザーによる画像形成装置の利用形態に応じて、選択的に機能動作部への給電を行う技術が開示されている。具体的には、下記特許文献１には、装置本体の起動時又は省電力モードからの復帰時に、ユーザーの利用形態に適合した電源供給パターンに係る設定情報が格納されたＩＣカードから当該設定情報を読み出し、当該読み出した設定情報に従って、電源部から所定の機能部への電源供給又は遮断等の制御を行うことが開示されている。
【０００４】
この技術によれば、画像形成装置本体の電源起動時又は省電力モードからの復帰時に、ユーザーによる画像形成装置の利用形態の如何にかかわらず、画一的に画像形成部等の全ての機能部への給電を行うことによって無駄に電力が消費される虞を低減することができる。
【先行技術文献】
【特許文献】
【０００５】
【特許文献１】特開２０１０−２４３７５４号公報
【発明の概要】
【発明が解決しようとする課題】
【０００６】
しかし、上記特許文献１に記載の技術では、ＩＣカードに電源供給パターンに係る設定情報（給電パターン情報）を記憶する構成であるため、画像形成装置によっては、ＩＣカードから読み出した給電パターン情報に対応する機能部（機能動作部）を備えていないために、当該取得した給電パターン情報に基づいて機能動作部への電源の供給又は遮断等の制御を行えない虞があった。
【０００７】
また、このＩＣカードには、給電パターン情報を記憶するだけの記憶容量を有する記憶部を備える必要があるので、ＩＣカードが高価になる虞があった。そこで、記憶容量を減らすために、ＩＣカード１枚につき１つの給電パターン情報だけを記憶するように構成したとしても、給電パターン情報に応じた枚数のＩＣカードを用意しなければならず、更にコストがかかる虞があった。
【０００８】
本発明は、このような事情に鑑みてなされたものであり、ユーザーによる画像形成装置の利用形態に応じて適切に画像形成装置の消費電力を低減することができる安価な給電制御システム、ＩＣカード及び画像形成装置を提供することを目的とする。
【課題を解決するための手段】
【０００９】
本発明に係る給電制御システムは、複数の処理をそれぞれ実行する複数の機能動作部と、前記複数の機能動作部で用いられる電源電圧を生成する電源部と、前記電源部から前記各機能動作部への前記電源電圧の供給又は遮断を定めた情報である給電パターン情報を複数記憶するパターン情報記憶部と、を備えた画像形成装置と、前記給電パターン情報を識別するための情報である給電パターン識別情報を複数記憶する識別情報記憶部と、前記識別情報記憶部に記憶されている複数の前記給電パターン識別情報の一つを択一的に選択する操作をユーザーに行わせるための選択操作部と、前記選択操作部によって選択された前記給電パターン識別情報を出力する出力部と、を備えたＩＣカードと、を備え、前記画像形成装置は、前記出力部によって出力された前記給電パターン識別情報を取得する処理である識別情報取得処理を実行する識別情報取得部と、前記パターン情報記憶部に記憶されている複数の前記給電パターン情報のうち、前記識別情報取得部によって取得された前記給電パターン識別情報に対応する前記給電パターン情報を取得するパターン情報取得部と、前記パターン情報取得部によって取得された前記給電パターン情報に基づいて、前記電源部から前記各機能動作部への前記電源電圧の供給又は遮断を切り替える電源制御部と、を更に備える。
【００１０】
この構成によれば、画像形成装置に備えられたパターン情報記憶部に複数の給電パターン情報を記憶する構成であるため、画像形成装置に備えられた機能動作部のみを対象にして、ユーザーによる画像形成装置の利用形態に応じた複数の給電パターン情報をパターン情報記憶部に記憶することができる。このため、ＩＣカードから取得した給電パターン識別情報に対応する給電パターン情報を取得した場合に、その取得した給電パターン情報に基づいて、画像形成装置に備えられていない機能動作部への電源電圧の供給又は遮断を切り替える制御を行う虞を低減することができ、また、ユーザーによる画像形成装置の利用形態に応じて適切に、画像形成装置に備えられた各機能動作部への電源電圧の供給又は遮断を切り替えて、画像形成装置の消費電力を低減することができる。
【００１１】
また、ＩＣカードに備えられた識別情報記憶部は、給電パターン情報そのものではなく、給電パターン識別情報を記憶する構成であるため、ＩＣカードに給電パターン情報を記憶する場合に比して、ＩＣカードに記憶する情報量を低減することができる。これによって、ＩＣカードに備えるべき記憶部の記憶容量を低減することができ、ＩＣカードを安価に構成することができる。
【００１２】
また、ユーザーは、選択操作部によって、識別情報記憶部に記憶されている複数の給電パターン識別情報のうちの一つを択一的に選択することができる。つまり、ＩＣカード１枚につき複数の給電パターン識別情報を記憶しておくことができるので、ＩＣカード１枚につき１つの給電パターン情報を記憶する場合に比して、用意すべきＩＣカードの枚数を低減し、給電制御システムを安価に構成することができる。
【００１３】
また、前記識別情報記憶部は、更に、ユーザーを識別するための情報であるユーザー識別情報を記憶し、前記出力部は、更に、前記識別情報記憶部に記憶されている前記ユーザー識別情報を出力し、前記画像形成装置は、予め前記画像形成装置を利用することが許可されたユーザーである認証ユーザーに対応する前記ユーザー識別情報を記憶する認証ユーザー情報記憶部と、前記出力部によって出力された前記ユーザー識別情報を取得するユーザー識別情報取得部と、前記ユーザー識別情報取得部によって取得された前記ユーザー識別情報が、前記認証ユーザー情報記憶部に記憶されている複数の前記ユーザー識別情報のうちの何れかに一致する場合に、前記ユーザー識別情報に対応するユーザーが前記認証ユーザーであることを認証するユーザー認証部と、を更に備え、前記識別情報取得部は、前記ユーザー識別情報取得部によって取得された前記ユーザー識別情報に対応するユーザーが前記認証ユーザーであることが前記ユーザー認証部によって認証された場合にのみ、前記識別情報取得処理を実行することが好ましい。
【００１４】
この構成によれば、ユーザーが画像形成装置を利用する場合において、当該ユーザーが認証ユーザーであることが認証されていないとき、つまり、当該ユーザーが予め画像形成装置を利用することが許可されていないユーザーであるときには、識別情報取得処理を実行しないため、パターン情報取得部によって給電パターン情報は取得されない。したがって、ユーザーが予め画像形成装置を利用することが許可されていないユーザーであるときには、電源制御部によって給電パターン情報に基づいて各機能動作部への電源電圧の供給又は遮断を切り替える制御を何ら行わせることなく、迅速に画像形成装置の利用を禁止することができるので、識別情報取得処理を実行するために必要な消費電力を低減することができる。
【００１５】
また、前記電源制御部は、前記パターン情報取得部によって、前記識別情報取得処理の実行によって取得された前記給電パターン識別情報に対応する前記給電パターン情報が取得されなかった場合には、前記電源部から全ての前記機能動作部へ前記電源電圧を供給することが好ましい。
【００１６】
この構成によれば、ユーザーが画像形成装置を利用する場合において、当該ユーザーが認証ユーザーであることが認証されているが、ＩＣカードから取得した給電パターン識別情報に対応する給電パターン情報を取得することができなかったときには、電源制御部によって全ての機能動作部への電源の供給が行われる。つまり、認証ユーザーに対しては、消費電力は高まるものの、少なくとも画像形成装置を利用させることができる。
【００１７】
また、前記ＩＣカードは、前記選択操作部の操作によって選択された一の前記給電パターン識別情報を表示する表示部を更に備えることが好ましい。
【００１８】
この構成によれば、選択操作部の操作によって選択された一の給電パターン識別情報が表示部に表示されるので、ユーザーは、これを目視することによって、給電パターン識別情報の選択が適切であるか否かを容易に判断することができる。
【００１９】
また、前記ＩＣカードは、前記画像形成装置との間で信号を送受信するアンテナと、情報を記憶するメモリーと、前記メモリーから情報を読み出して、読み出した情報を示す信号を前記アンテナへ出力する読出部とを備えた、前記識別情報記憶部に記憶する前記給電パターン識別情報の数である識別数と同数のＩＣチップと、を備え、前記識別情報記憶部は、前記識別数と同数のＩＣチップの各メモリーを含み、前記各メモリーは、前記各給電パターン識別情報をそれぞれ一つずつ記憶し、前記選択操作部は、前記識別数と同数のＩＣチップのうち一つを択一的に選択して、選択されたＩＣチップを動作させる操作を行うためのスイッチであり、前記出力部は、前記アンテナと、前記識別数と同数のＩＣチップの前記各読出部と、を含むことが好ましい。
【００２０】
この構成によれば、スイッチの操作によって、一つのＩＣチップだけが動作する状態になる。また、ＩＣチップのメモリーには、一つの給電パターン識別情報が記憶されている。したがって、動作する状態になったＩＣチップの読出部によって当該ＩＣチップのメモリーに記憶されている給電パターン識別情報を読み出し、読み出した給電パターン識別情報を示す信号をアンテナによって画像形成装置に送信することによって、スイッチの操作によって択一的に選択された一のＩＣチップのメモリーに記憶されている給電パターン識別情報、つまり、選択操作部によって択一的に選択された一の給電パターン識別情報を出力することができる。
【００２１】
また、本発明に係るＩＣカードは、複数の処理をそれぞれ実行する複数の機能動作部と、前記複数の機能動作部で用いられる電源電圧を生成する電源部と、前記電源部から前記各機能動作部への前記電源電圧の供給又は遮断を定めた情報である給電パターン情報を複数記憶するパターン情報記憶部と、前記給電パターン情報に基づいて、前記電源部から前記各機能動作部への前記電源電圧の供給又は遮断を切り替える電源制御部と、を備えた画像形成装置に向けて情報を出力するＩＣカードであって、前記給電パターン情報を識別するための情報である給電パターン識別情報を複数記憶する識別情報記憶部と、前記識別情報記憶部に記憶されている複数の前記給電パターン識別情報の一つを択一的に選択する操作をユーザーに行わせるための選択操作部と、前記選択操作部によって選択された前記給電パターン識別情報を出力する出力部と、を備える。
【００２２】
この構成によれば、ＩＣカードに備えられた識別情報記憶部は、給電パターン情報そのものではなく、給電パターン識別情報を記憶する構成であるため、ＩＣカードに給電パターン情報を記憶する場合に比して、ＩＣカードに記憶する情報量を低減することができる。これによって、ＩＣカードに備えるべき記憶部の記憶容量を低減することができ、ＩＣカードを安価に構成することができる。
【００２３】
また、ユーザーは、選択操作部によって、識別情報記憶部に記憶されている複数の給電パターン識別情報のうちの一つを択一的に選択することができる。つまり、ＩＣカード１枚につき複数の給電パターン識別情報を記憶しておくことができるので、ＩＣカード１枚につき１つの給電パターン情報を記憶する場合に比して、用意すべきＩＣカードの枚数を低減することができる。
【００２４】
また、本発明に係る画像形成装置は、複数の処理をそれぞれ実行する複数の機能動作部と、前記複数の機能動作部で用いられる電源電圧を生成する電源部と、前記電源部から前記各機能動作部への前記電源電圧の供給又は遮断を定めた情報である給電パターン情報を複数記憶するパターン情報記憶部と、前記給電パターン情報を識別するための情報である給電パターン識別情報を複数記憶する識別情報記憶部と、前記識別情報記憶部に記憶されている複数の前記給電パターン識別情報の一つを択一的に選択する操作をユーザーに行わせるための選択操作部と、前記選択操作部によって選択された前記給電パターン識別情報を出力する出力部と、を備えるＩＣカードを用いて、前記出力部によって出力された前記給電パターン識別情報を取得するための識別情報取得処理を実行する識別情報取得部と、前記パターン情報記憶部に記憶されている複数の前記給電パターン情報のうち、前記識別情報取得部によって取得された前記給電パターン識別情報に対応する前記給電パターン情報を取得するパターン情報取得部と、前記パターン情報取得部によって取得された前記給電パターン情報に基づいて、前記電源部から前記各機能動作部への前記電源電圧の供給又は遮断を切り替える電源制御部と、を備える。
【００２５】
この構成によれば、画像形成装置に備えられたパターン情報記憶部に複数の給電パターン情報を記憶する構成であるため、画像形成装置に備えられた機能動作部のみを対象にして、ユーザーによる画像形成装置の利用形態に応じた複数の給電パターン情報をパターン情報記憶部に記憶することができる。このため、ＩＣカードから取得した給電パターン識別情報に対応する給電パターン情報を取得した場合に、その取得した給電パターン情報に基づいて、画像形成装置に備えられていない機能動作部への電源電圧の供給又は遮断を切り替える制御を行う虞を低減することができ、また、ユーザーによる画像形成装置の利用形態に応じて適切に、画像形成装置に備えられた各機能動作部への電源電圧の供給又は遮断を切り替えて、画像形成装置の消費電力を低減することができる。
【発明の効果】
【００２６】
本発明によれば、ユーザーによる画像形成装置の利用形態に応じて適切に画像形成装置の消費電力を低減することができる安価な給電制御システム、ＩＣカード及び画像形成装置を提供することが可能になる。
【図面の簡単な説明】
【００２７】
【図１】本発明の一実施形態に係る画像形成装置の内部構造の概略を示す図である。
【図２】本発明の一実施形態に係る給電制御システムの電気的な構成を示すブロック図である。
【図３】給電制御システムにおける、本発明の一実施形態に係るＩＣカードと画像形成装置との接続関係の一例、及び、画像形成装置における電源部と各機能動作部との接続関係の一例を示す図である。
【図４】給電パターン識別情報及び給電パターン情報の一例を示す図である。
【図５】ＩＣカードの内部構造の一例を示すブロック図である。
【図６】ＩＣカードの外観の一例を示す外観図である。
【図７】画像形成装置が省電力モードに移行した場合に、ユーザーによって画像形成装置を利用する要求が発生したときの、各機能動作部への電源電圧の供給及び遮断の動作を説明するフローチャートである。
【発明を実施するための形態】
【００２８】
以下、本発明に係る実施形態を図面に基づいて説明する。尚、各図において同一の符号を付した構成は、同一の構成であることを示し、その説明を省略する。図１は、本発明の一実施形態に係る画像形成装置の内部構造の概略を示す図である。図２は、本発明の一実施形態に係る給電制御システムの電気的な構成を示すブロック図である。
【００２９】
図１に示すように、給電制御システム１００は、画像形成装置１と、ＩＣカード９と、を備えている。
【００３０】
画像形成装置１は、例えば、コピー機能、スキャナー機能及びファクシミリ機能等を有する複合機に適用することができる。画像形成装置１は、操作パネル４７と、原稿読取部５と、原稿給送部６と、本体部２と、後処理部３と、本体部２の内部に配設された制御部１０及び電源部２００と、を備えている。
【００３１】
操作パネル４７は、表示部４７３と、操作キー部４７６と、リーダー部４７９と、を備えている。
【００３２】
表示部４７３は、例えば、タッチパネルとＬＣＤ（Liquid Crystal Display）とを組み合わせたタッチパネルユニット等から構成されている。表示部４７３は、種々の操作画面を表示するとともに、ユーザーが画面をタッチすることで種々の設定や機能の実行指示を入力可能に構成されている。
【００３３】
操作キー部４７６は、ユーザーによる種々の操作指示を入力可能に構成されている。操作キー部４７６には、例えば、スタートボタン４７１、及び節電キー４７２が設けられている。スタートボタン４７１は、コピー機能やスキャナー機能等の各機能の動作を開始させる指示を入力するために設けられている。節電キー４７２は、画像形成装置１を、通常の動作を行う通常モード時よりも、消費電力が少ない省電力モードへ移行させる指示を入力するために設けられている。
【００３４】
リーダー部４７９は、例えば、ＲＦＩＤ（Radio Frequency Identification：無線自動認識）技術を利用して、ＩＣカード９との間で無線通信を行う。具体的には、リーダー部４７９は、ＩＣカード９が接近したことを検知するセンサーを備え、当該センサーによってＩＣカード９が接近したことを検知したときに、ＩＣカード９に対して情報の出力指示を示す信号を含む電磁波を送信する。これに応じて、ＩＣカード９から情報を示す信号を含む電磁波が反射されると、リーダー部４７９は、当該電磁波を受信し、受信した電磁波に含まれる信号から情報を取得して、制御部１０に出力する。
【００３５】
原稿読取部５は、ＣＣＤ（Charge Coupled Device）５１２及び露光ランプ５１１（図２）等からなるスキャナー５１と、ガラス等の透明部材により構成された原稿台５２及び原稿読取スリット５３とを備える。スキャナー５１は図略の駆動部によって移動可能に構成され、原稿台５２に載置された原稿を読み取るときは、原稿台５２に対向する位置で原稿面に沿って移動され、原稿画像を走査しつつ取得した画像データを制御部１０へ出力する。また、原稿給送部６により給送された原稿を読み取るときは、原稿読取スリット５３と対向する位置に移動され、原稿読取スリット５３を介して原稿給送部６による原稿の搬送動作と同期して原稿の画像を取得し、その画像データを制御部１０へ出力する。
【００３６】
原稿給送部６は、原稿載置部６０１、給紙ローラー６０２、原稿搬送部６０３及び原稿排出部６０４を備える。給紙ローラー６０２は、原稿載置部６０１にセットされた所要枚数分の原稿を一枚ずつ繰り出し、原稿搬送部６０３は、繰り出される原稿を順次スキャナー５１の読み取り位置に搬送する。スキャナー５１は、搬送される原稿の画像を順次読み取り、読み取られた原稿は原稿排出部６０４に排出される。
【００３７】
また、原稿給送部６はその前面側が上方に移動可能となるように本体部２に対して回動自在に設けられている。原稿給送部６の前面側を上方に移動させて原稿台５２上面を開放することにより、原稿台５２の上面に読み取り原稿、例えば見開き状態にされた書籍等を操作者が載置できるようになっている。
【００３８】
本体部２は、手差トレイ４６０、複数の給紙カセット４６１、複数の給紙ローラー４６２、画像形成部４、排出口２０９、排出トレイ４８、制御部１０、及び電源部２００を備えている。
【００３９】
画像形成部４は、像形成部４０（図２）、定着部４５、及び画像形成部４内の用紙搬送路中に設けられた種々の搬送ローラー等からなる用紙搬送部４６を備えている。像形成部４０は、転写ローラー４１、露光装置４２、感光体ドラム４３、及び現像装置４４を備えている。
【００４０】
感光体ドラム４３は、矢印方向に回転しながら図略の帯電装置によって一様に帯電される。露光装置４２は、原稿読取部５において読み取られた原稿の画像に応じて変調されたレーザー光を感光体ドラム４３上に走査し、ドラム表面に静電潜像を形成する。現像装置４４は、黒色の現像剤を感光体ドラム４３に供給してトナー画像を形成する。
【００４１】
給紙ローラー４６２は、用紙が収納された手差トレイ４６０や給紙カセット４６１から用紙を引き出し、転写ローラー４１まで給送する。転写ローラー４１は、搬送された用紙に感光体ドラム４３上のトナー像を転写させ、定着部４５は、転写されたトナー像を加熱して用紙に定着させる。その後、用紙は本体部２の排出口２０９から後処理部３に搬入される。また、用紙は必要に応じて搬送ローラー４６３によって排出トレイ４８へも排出される。
【００４２】
後処理部３は、搬入口３０１、用紙搬送部３０２、仕分け部３０３、用紙加工部３０４、搬出口３０５及びスタックトレイ３０６を備えている。後処理部３には、印刷後に、ステープルやパンチなどの後処理が必要となった用紙が、本体部２の排出口２０９から搬入口３０１に搬入され、用紙搬送部３０２から仕分け部３０３に順次搬送され、適宜仕分け（ソート）や先端揃えが行われた後、用紙加工部３０４においてステープルやパンチなどの処理が行われ、搬出口３０５からスタックトレイ３０６へ排出される。スタックトレイ３０６は、搬出口３０５から搬出された用紙の集積枚数に応じて、図中の矢印方向に上下動可能に構成されている。
【００４３】
制御部１０は、原稿読取部５や画像形成部４等の各機能動作部の動作制御を行い、画像形成装置１全体の動作を司る。制御部１０は、例えば、所定の演算処理を実行するＣＰＵ（Central Processing Unit）と、所定の制御プログラムが記憶されたＲＯＭ（Read Only Memory）と、データを一時的に記憶するＲＡＭ（Random Access Memory）と、これらの周辺回路等とを備えて構成されている。
【００４４】
電源部２００は、商用電源等の交流電源から供給される交流電圧を、図略のＡＣ／ＤＣコンバーターによって所定の電圧値の直流電圧に変換することによって、各機能動作部で用いられる電源電圧を生成する。
【００４５】
図２に示すように、画像形成装置１は、更に、本体部２の内部に配設された通信部７及びＨＤＤ（Hard Disk Drive）８を備えている。
【００４６】
通信部７は、ファクシミリ通信部７０１及びネットワークＩ／Ｆ部７０３を備えている。ファクシミリ通信部７０１は、相手先ファクシミリとの電話回線の接続を制御するＮＣＵ（Network Control Unit）及びファクシミリ通信用の信号を変復調する変復調回路を備えている。ファクシミリ通信部７０１は、電話回線７０５に接続されている。
【００４７】
ネットワークＩ／Ｆ部７０３は、ＬＡＮ（Local Area Network）７０７に接続されている。ネットワークＩ／Ｆ部７０３は、ＬＡＮ７０７に接続されたパソコン等の端末装置との間で通信を実行するための通信インターフェイス回路である。
【００４８】
ＨＤＤ８は、原稿読取部５から出力された画像データ、パソコンから送信された画像データ、ファクシミリ受信の画像データ等のデータの保存に利用される。
【００４９】
次に、給電制御システム１００の構成について詳述する。図３は、給電制御システム１００における、本発明の一実施形態に係るＩＣカード９と画像形成装置１との接続関係の一例、及び、画像形成装置１における電源部２００と各機能動作部との接続関係の一例を示す図である。
【００５０】
図３に示すように、制御部１０は、ＲＯＭの記憶領域の一部をパターン情報記憶部１１として用いるとともに、ＲＯＭに記憶された制御プログラムを実行することによって、パターン情報取得部１２、電源制御部１３として機能する。
【００５１】
パターン情報記憶部１１には、電源部２００から各機能動作部への電源電圧の供給又は遮断を定めた情報である給電パターン情報が複数記憶されている。
【００５２】
図４は、給電パターン識別情報及び給電パターン情報の一例を示す図である。図４において、符号Ｐ０は、画像形成装置１が省電力モードに移行したときに用いる給電パターン情報を示している。具体的には、給電パターン情報Ｐ０は、スイッチ２９ｄ、２９ｅをオン（閉状態）にして、電源部２００から通信部７及びＨＤＤ８への電源電圧の供給を行い、スイッチ２９ａ〜２９ｃをオフ（開状態）にして、電源部２００から原稿読取部５、画像形成部４、及び後処理部３への電源電圧の供給を遮断することを示している。符号Ｄ０は、給電パターン情報Ｐ０を識別するための給電パターン識別情報を示している。具体的には、給電パターン識別情報Ｄ０には、数値「０」が設定されている。
【００５３】
また、符号Ｐ１は、コピー機能を実行するときに用いる給電パターン情報を示している。具体的には、給電パターン情報Ｐ１は、スイッチ２９ａ〜２９ｅをオンにして、電源部２００から原稿読取部５、画像形成部４、後処理部３、通信部７、及びＨＤＤ８への電源電圧の供給を行うことを示している。符号Ｄ１は、給電パターン情報Ｐ１を識別するための給電パターン識別情報を示している。具体的には、給電パターン識別情報Ｄ１には、数値「１」が設定されている。
【００５４】
また、符号Ｐ２は、ファクシミリ機能及びスキャナー機能を実行するときに用いる給電パターン情報を示している。具体的には、給電パターン情報Ｐ２は、スイッチ２９ａ，２９ｄ，２９ｅをオンにして、電源部２００から原稿読取部５、通信部７、及びＨＤＤ８への電源電圧の供給を行い、スイッチ２９ｂ，２９ｃをオフにして、電源部２００から画像形成部４、及び後処理部３への電源電圧の供給を遮断することを示している。符号Ｄ２は、給電パターン情報Ｐ２を識別するための給電パターン識別情報を示している。具体的には、給電パターン識別情報Ｄ２には、数値「２」が設定されている。
【００５５】
このように、パターン情報記憶部１１には、給電パターン情報Ｐ０〜Ｐ２がそれぞれ給電パターン識別情報Ｄ０〜Ｄ２と対応付けて記憶されている。尚、給電パターン識別情報は、数値に限らず、例えば、文字や記号であってもよい。
【００５６】
図３に戻り、パターン情報取得部１２は、予め定められた期間内に操作パネル４７を用いた操作が何ら行われない場合に、及び、節電キー４７２の操作によって省電力モードへの移行指示が入力された場合に、省電力モード用の給電パターン識別情報Ｄ０に対応する給電パターン情報Ｐ０をパターン情報記憶部１１から読み出す。尚、予め定められた期間は、ＲＯＭに予め記憶されている。また、パターン情報取得部１２は、後述の識別情報取得部１７から給電パターン識別情報が入力された場合には、当該入力された給電パターン識別情報に対応する給電パターン情報をパターン情報記憶部１１から読み出す。
【００５７】
電源制御部１３は、パターン情報取得部１２によって取得された給電パターン情報に基づいて、電源部２００から各機能動作部への電源電圧の供給又は遮断を切り替える。例えば、電源制御部１３は、パターン情報取得部１２によって給電パターン情報Ｐ０（図４）が取得された場合には、給電パターン情報Ｐ０に基づいて、スイッチ２９ｄ、２９ｅをオンにして、電源部２００から通信部７及びＨＤＤ８への電源電圧の供給を行い、スイッチ２９ａ〜２９ｃをオフにして、電源部２００から原稿読取部５、画像形成部４、及び後処理部３への電源電圧の供給を遮断する。
【００５８】
一方、ＩＣカード９は、識別情報記憶部９１と、選択操作部９２と、出力部９３と、を備えている。
【００５９】
識別情報記憶部９１には、複数の給電パターン識別情報と、当該ＩＣカード９を所有するユーザーを識別するための情報（例えば、社員番号等）であるユーザー識別情報と、が記憶されている。
【００６０】
選択操作部９２は、識別情報記憶部９１に記憶されている複数の給電パターン識別情報の一つを択一的に選択する操作をユーザーに行わせるために設けられている。
【００６１】
出力部９３は、選択操作部９２によって選択された給電パターン識別情報を出力する。また、出力部９３は、識別情報記憶部９１に記憶されているユーザー識別情報を出力する。
【００６２】
図５は、ＩＣカード９の内部構造の一例を示すブロック図である。具体的には、図５に示すように、ＩＣカード９は、アンテナＡＴと、２つのＩＣチップＣ１，Ｃ２と、スイッチＳＷと、を備えている。
【００６３】
アンテナＡＴは、リーダー部４７９から情報の出力指示を示す信号を含む電磁波を受信し、受信した電磁波の一部を反射する。アンテナＡＴは、この反射波にＩＣチップから出力された情報を示す信号を含めることによって、リーダー部４７９へ情報を示す信号を送信する。
【００６４】
ＩＣチップＣ１は、不揮発性のメモリーＭ１と、読出部Ｒ１とを備えている。メモリーＭ１には、コピー機能を実行するときに用いる給電パターン情報Ｐ１に対応する給電パターン識別情報Ｄ１（図４）と、ユーザー識別情報とが記憶されている。読出部Ｒ１は、アンテナＡＴで受信した電磁波を整流することによって生成した電力で動作し、メモリーＭ１から給電パターン識別情報Ｄ１とユーザー識別情報とを読み出して、当該読み出した情報を示す信号をアンテナＡＴへ出力する。
【００６５】
ＩＣチップＣ２は、ＩＣチップＣ１と同様の構成であり、不揮発性のメモリーＭ２と、読出部Ｒ２とを備えている。メモリーＭ２には、ファクシミリ機能及びスキャナー機能を実行するときに用いる給電パターン情報Ｐ２に対応する給電パターン識別情報Ｄ２（図４）と、ユーザー識別情報とが記憶されている。読出部Ｒ２は、アンテナＡＴで受信した電磁波を整流することによって生成した電力で動作し、メモリーＭ２から給電パターン識別情報Ｄ２とユーザー識別情報とを読み出して、当該読み出した情報を示す信号をアンテナＡＴへ出力する。
【００６６】
つまり、２つのメモリーＭ１，Ｍ２によって、識別情報記憶部９１の一例が構成されている。
【００６７】
スイッチＳＷは、２つのＩＣチップＣ１，Ｃ２のうちの一つを択一的に選択して、選択されたＩＣチップを動作させる操作を行うために設けられている。具体的には、スイッチＳＷは、図５の実線部に示すように、ＩＣチップＣ１を選択してＩＣチップＣ１とアンテナＡＴとを接続するか、又は、図５の一点鎖線部に示すように、ＩＣチップＣ２を選択してＩＣチップＣ２とアンテナＡＴとを接続した状態にするかを、切り替える操作が可能になっている。
【００６８】
スイッチＳＷがＩＣチップＣ１とアンテナＡＴとを接続する状態（図５に実線部で示す状態）に切り替えられた場合には、ＩＣチップＣ１が動作し、読出部Ｒ１によってメモリーＭ１から読み出された給電パターン識別情報Ｄ１とユーザー識別情報とを示す信号が、アンテナＡＴを介してリーダー部４７９へ出力される。これとは反対に、スイッチＳＷが、ＩＣチップＣ２とアンテナＡＴとを接続する状態（図５に破線部で示す状態）に切り替えられた場合には、ＩＣチップＣ２が動作し、読出部Ｒ２によってメモリーＭ２から読み出された給電パターン識別情報Ｄ２とユーザー識別情報とを示す信号が、アンテナＡＴを介してリーダー部４７９へ出力される。このように、スイッチＳＷの切り替え操作によって、給電パターン識別情報Ｄ１及び給電パターン識別情報Ｄ２の中から、リーダー部４７９へ出力する給電パターン識別情報が択一的に選択される。
【００６９】
つまり、スイッチＳＷによって、選択操作部９２の一例が構成されている。また、アンテナＡＴと、スイッチＳＷの操作によってアンテナＡＴに接続されたＩＣチップに備えられた読出部Ｒ１又は読出部Ｒ２とによって、出力部９３の一例が構成されている。
【００７０】
次に、ＩＣカード９の外観について説明する。図６は、ＩＣカード９の外観の一例を示す外観図である。図６に示すように、ＩＣカード９の表面には、メモリーＭ１に記憶されている給電パターン識別情報Ｄ１を示す数値「１」を示す矩形図形Ｙ１と、メモリーＭ２に記憶されている給電パターン識別情報Ｄ２を示す数値「２」を示す矩形図形Ｙ２と、が記載されている。
【００７１】
例えば図６の実線部に示すように、ユーザーによってスイッチＳＷを矩形図形Ｙ１側に切り替える操作が行われた場合には、ＩＣチップＣ１（図５）が動作可能な状態となり、数値「１」に対応する給電パターン識別情報Ｄ１がリーダー部４７９に送信可能な状態となる。つまり、数値「１」に対応する給電パターン識別情報Ｄ１が画像形成装置１への出力対象の給電パターン識別情報として選択されたことを、スイッチＳＷが矩形図形Ｙ１側に切り替えられていることによって目視することができる。これと同様にして、図６の一点鎖線部に示すように、数値「２」に対応する給電パターン識別情報Ｄ２が画像形成装置１への出力対象の給電パターン識別情報として選択されたことを、スイッチＳＷが矩形図形Ｙ２側に切り替えられていることによって目視することができる。つまり、矩形図形Ｙ１及び矩形図形Ｙ２によって、選択操作部９２の操作によって選択された一の給電パターン識別情報を表示する表示部９８の一例が構成されている。
【００７２】
また、ＩＣカード９の表面には、ユーザーに対して選択操作部９２による給電パターン識別情報の選択操作の方法を案内するメッセージＺ１，Ｚ２が記載されている。例えば、図６では、「コピー利用時に選択してください」というメッセージＺ１が矩形図形Ｙ１に関連付けるようにして記載され、「ＦＡＸ又はスキャナー利用時に選択してください」というメッセージＺ２が矩形図形Ｙ２に関連付けるようにして記載されている。
【００７３】
これによって、ユーザーは、コピー機能を利用しようとした場合には、メッセージＺ１による案内に従って、スイッチＳＷを矩形図形Ｙ１側に切り替える操作を行うことができ、コピー機能に対応する数値「１」に対応する給電パターン識別情報Ｄ１を、画像形成装置１への出力対象の給電パターン識別情報として適切に選択することができる。また、ユーザーは、ＦＡＸ機能又はスキャナー機能を利用しようとした場合には、メッセージＺ２による案内に従って、スイッチＳＷを矩形図形Ｙ２側に切り替える操作を行うことができ、ＦＡＸ機能及びスキャナー機能に対応する数値「２」に対応する給電パターン識別情報Ｄ２を、画像形成装置１への出力対象の給電パターン識別情報として適切に選択することができる。
【００７４】
図３に戻り、制御部１０は、ＲＯＭの記憶領域の一部を認証ユーザー情報記憶部１４としても用いる。また、制御部１０は、ＲＯＭに記憶された制御プログラムをＣＰＵによって実行することにより、ユーザー識別情報取得部１５、ユーザー認証部１６、及び識別情報取得部１７としても機能する。
【００７５】
認証ユーザー情報記憶部１４は、    予め画像形成装置１を利用することが許可されたユーザーである認証ユーザーに対応するユーザー識別情報を記憶する。
【００７６】
ユーザー識別情報取得部１５は、出力部９３から出力されたユーザー識別情報を取得する。具体的には、ユーザー識別情報取得部１５は、リーダー部４７９によって、ＩＣカード９へ情報の出力指示を示す信号を含む電磁波を送信させ、これに応じて出力部９３から出力された給電パターン識別情報とユーザー識別情報とを受信させる。そして、ユーザー識別情報取得部１５は、当該リーダー部４７９によって受信された給電パターン識別情報とユーザー識別情報の中から、ユーザー識別情報を取得する。
【００７７】
ユーザー認証部１６は、ユーザー識別情報取得部１５によって取得されたユーザー識別情報が、認証ユーザー情報記憶部１４に記憶されている複数のユーザー識別情報のうちの何れかに一致する場合に、当該ユーザー識別情報に対応するユーザーが認証ユーザーであることを認証する。
【００７８】
識別情報取得部１７は、出力部９３から出力された給電パターン識別情報を取得する処理である識別情報取得処理を実行する。具体的には、識別情報取得部１７は、識別情報取得処理において、リーダー部４７９によって、ＩＣカード９へ情報の出力指示を示す信号を含む電磁波を送信させ、これに応じて出力部９３から返信されてきた給電パターン識別情報とユーザー識別情報とを受信させる。そして、当該リーダー部４７９によって受信された給電パターン識別情報とユーザー識別情報の中から、給電パターン識別情報を取得する。
【００７９】
次に、画像形成装置１が省電力モードに移行した場合に、ユーザーによって画像形成装置１を利用する要求が発生したときの、各機能動作部への電源電圧の供給及び遮断の動作について説明する。図７は、画像形成装置１が省電力モードに移行した場合に、ユーザーによって画像形成装置１を利用する要求が発生したときの、各機能動作部への電源電圧の供給及び遮断の動作を説明するフローチャートである。
【００８０】
図７に示すように、画像形成装置１が省電力モードに移行した場合において、ユーザーは、画像形成装置１を利用しようとしたときには、ＩＣカード９に備えられた選択操作部９２を操作することによって、識別情報記憶部９１に記憶されている複数の給電パターン識別情報のうち、利用対象の機能に対応する給電パターン識別情報を択一的に選択する（Ｓ１）。
【００８１】
そして、ユーザーがＩＣカード９をリーダー部４７９に接近させたことによって、リーダー部４７９によってＩＣカード９が接近したことが検知されると（Ｓ２；ＹＥＳ）、ユーザー識別情報取得部１５は、上記のように、リーダー部４７９を介して、出力部９３から出力されたユーザー識別情報を取得する（Ｓ３）。
【００８２】
次に、ユーザー認証部１６は、ステップＳ３において、ユーザー識別情報取得部１５によって取得されたユーザー識別情報が、認証ユーザー情報記憶部１４に記憶されている複数のユーザー識別情報のうちの何れかに一致するか否かによって、ユーザー識別情報に対応するユーザーが認証ユーザーであるか否かを判定する（Ｓ４）。
【００８３】
ステップＳ４において、ユーザー認証部１６によって、ステップＳ３で取得されたユーザー識別情報に対応するユーザーが認証ユーザーではないと判定された場合（Ｓ４；ＮＯ）、制御部１０は、画像形成装置１が省電力モードに移行したままの状態で、つまり、当該認証ユーザーではないユーザーからの画像形成装置１を利用する要求を無視して、各機能動作部への電源電圧の供給及び遮断の動作を終了する。
【００８４】
一方、ステップＳ４において、ユーザー認証部１６によって、ステップＳ３で取得されたユーザー識別情報に対応するユーザーが認証ユーザーであると判定された場合（Ｓ４；ＹＥＳ）、識別情報取得部１７は、ステップＳ５において上記の識別情報取得処理を実行し、これによって、出力部９３から出力された給電パターン識別情報を取得する（Ｓ５）。
【００８５】
次に、パターン情報取得部１２は、パターン情報記憶部１１に記憶されている複数の給電パターン情報のうち、ステップＳ５で取得された給電パターン識別情報に対応する給電パターン情報を取得する（Ｓ６）。
【００８６】
そして、ステップＳ６において、ステップ５の識別情報取得処理の実行によって取得された給電パターン識別情報に対応する給電パターン情報が取得された場合（Ｓ７；ＹＥＳ）、電源制御部１３は、ステップＳ６で取得された給電パターン情報に基づいて、スイッチ２９ａ〜２９ｅ（図３）をオン又はオフにして、電源部２００から各機能動作部への電源電圧の供給又は遮断を切り替える（Ｓ８）。
【００８７】
一方、ステップ５の識別情報取得処理の実行によって取得された給電パターン識別情報に対応する給電パターン情報がパターン情報記憶部１１に記憶されていなかったために、ステップＳ６において、給電パターン情報が取得されなかった場合は（Ｓ７；ＮＯ）、電源制御部１３は、スイッチ２９ａ〜２９ｅ（図３）を全てオンにする等して、電源部２００から全ての機能動作部へ電源電圧を供給する（Ｓ９）。
【００８８】
このように、本実施形態の構成によれば、画像形成装置１に備えられたパターン情報記憶部１１に複数の給電パターン情報を記憶する構成であるため、画像形成装置１に備えられた機能動作部のみを対象にして、ユーザーによる画像形成装置１の利用形態に応じた複数の給電パターン情報をパターン情報記憶部１１に記憶することができる。このため、ＩＣカード９から取得した給電パターン識別情報に対応する給電パターン情報を取得した場合に、その取得した給電パターン情報に基づいて、画像形成装置１に備えられていない機能動作部への電源電圧の供給又は遮断を切り替える制御を行う虞を低減することができ、また、ユーザーによる画像形成装置１の利用形態に応じて適切に、画像形成装置１に備えられた各機能動作部への電源電圧の供給又は遮断を切り替えて、画像形成装置１の消費電力を低減することができる。
【００８９】
また、ＩＣカード９に備えられた識別情報記憶部９１は、給電パターン情報そのものではなく、給電パターン識別情報を記憶する構成であるため、ＩＣカード９に給電パターン情報を記憶する場合に比して、ＩＣカード９に記憶する情報量を低減することができる。これによって、ＩＣカード９に備えるべき記憶部の記憶容量を低減することができ、ＩＣカード９を安価に構成することができる。
【００９０】
また、ユーザーは、選択操作部９２によって、識別情報記憶部９１に記憶されている複数の給電パターン識別情報のうちの一つを択一的に選択することができる。つまり、ＩＣカード１枚につき複数の給電パターン識別情報を記憶しておくことができるので、ＩＣカード１枚につき１つの給電パターン情報を記憶する場合に比して、用意すべきＩＣカードの枚数を低減し、給電制御システム１００を安価に構成することができる。
【００９１】
また、上記実施形態の構成によれば、ユーザーが画像形成装置１を利用する場合において、当該ユーザーが認証ユーザーであることが認証されていないとき、つまり、当該ユーザーが予め画像形成装置１を利用することが許可されていないユーザーであるときには、識別情報取得処理を実行しないため、パターン情報取得部１２によって給電パターン情報は取得されない。したがって、ユーザーが予め画像形成装置１を利用することが許可されていないユーザーであるときには、電源制御部１３によって給電パターン情報に基づいて各機能動作部への電源電圧の供給又は遮断を切り替える制御を何ら行わせることなく、迅速に画像形成装置１の利用を禁止することができるので、識別情報取得処理を実行するために必要な消費電力を低減することができる。
【００９２】
また、上記実施形態の構成によれば、ユーザーが画像形成装置１を利用する場合において、当該ユーザーが認証ユーザーであることが認証されているが、ＩＣカード９から取得した給電パターン識別情報に対応する給電パターン情報を取得することができなかったときには、電源制御部１３によって全ての機能動作部への電源の供給が行われる。つまり、認証ユーザーに対しては、消費電力は高まるものの、少なくとも画像形成装置１を利用させることができる。
【００９３】
また、上記実施形態の構成によれば、選択操作部９２の操作によって選択された一の給電パターン識別情報が表示部９８（図６）に表示されるので、ユーザーは、これを目視することによって、給電パターン識別情報の選択が適切であるか否かを容易に判断することができる。
【００９４】
また、上記実施形態の構成によれば、スイッチＳＷの操作によって、一つのＩＣチップだけが動作する状態になる。また、ＩＣチップのメモリーには、一つの給電パターン識別情報が記憶されている。したがって、動作する状態になったＩＣチップの読出部によって当該ＩＣチップのメモリーに記憶されている給電パターン識別情報を読み出し、読み出した給電パターン識別情報を示す信号をアンテナＡＴによって画像形成装置１に送信することによって、スイッチＳＷの操作によって択一的に選択された一のＩＣチップのメモリーに記憶されている給電パターン識別情報、つまり、選択操作部９２によって択一的に選択された一の給電パターン識別情報を出力することができる。
【００９５】
尚、上記実施形態において図１乃至図７に示した構成は単なる一例に過ぎず、本発明を当該実施形態に限定する趣旨ではない。
【００９６】
例えば、ＩＣカード９に備えるＩＣチップの数は、図５に示したように、２つに限定する趣旨ではなく、識別情報記憶部９１に記憶すべき給電パターン識別情報の数（識別数）と同じ数だけ設けてもよい。これに合わせて、各ＩＣチップの各メモリーに、各給電パターン識別情報をそれぞれ一つずつ記憶するように構成してもよい。
【００９７】
また、図６に示す表示部９８は、矩形図形Ｙ１及び矩形図形Ｙ２に限らず、各ＩＣチップの各メモリーに記憶されている給電パターン識別情報を示す文字列をそれぞれそのまま記載するように構成してもよい。または、表示部９８そのものを、ＩＣカード９の表面に設けないように構成してもよい。また、ユーザーに対して選択操作部９２による給電パターン識別情報の選択操作の方法を案内するメッセージＺ１，Ｚ２を、ＩＣカード９の表面に記載しないように構成してもよい。
【００９８】
また、ＩＣカード９とリーダー部４７９との間の通信は、ＲＦＩＤ技術を利用した無線通信に限定する趣旨ではなく、赤外線通信等の無線通信であってもよい。
【００９９】
また、制御部１０は、ＲＯＭを認証ユーザー情報記憶部１４として用いず、ユーザー識別情報取得部１５とユーザー認証部１６として機能しないように簡素化してもよい。これに合わせて、識別情報記憶部９１にユーザー識別情報を記憶しないように構成し、ステップＳ３及びステップＳ４（図７）を実行しないように構成してもよい。
【０１００】
また、ステップＳ６において給電パターン情報が取得されなかった場合に（Ｓ７；ＮＯ）、ステップＳ９を行うことに代えて、例えば、給電パターン識別情報に対応する給電パターン情報が存在しない旨のメッセージを表示部４７３に表示する等して、ユーザーに対して警告を報知するように構成してもよい。
【０１０１】
また、本発明に係る画像形成装置は、上記の複合機に適用される場合の他、コピー機、スキャナー装置、及びファクシミリ装置等の画像形成装置に適用することが可能である。
【符号の説明】
【０１０２】
１        ：画像形成装置
４        ：画像形成部
５        ：原稿読取部
６        ：原稿給送部
７        ：通信部
８        ：ＨＤＤ
９        ：ＩＣカード
１０      ：制御部
１１      ：パターン情報記憶部
１２      ：パターン情報取得部
１３      ：電源制御部
１４      ：認証ユーザー情報記憶部
１５      ：ユーザー識別情報取得部
１６      ：ユーザー認証部
１７      ：識別情報取得部
４７      ：操作パネル
９１      ：識別情報記憶部
９２      ：選択操作部
９３      ：出力部
９８      ：表示部
１００    ：給電制御システム
２００    ：電源部
４７２    ：節電キー
４７６    ：操作キー部
４７９    ：リーダー部
ＡＴ      ：アンテナ（出力部）
Ｃ１，Ｃ２：ＩＣチップ
Ｄ０〜Ｄ２：給電パターン識別情報
Ｍ１，Ｍ２：メモリー（識別情報記憶部）
Ｐ０〜Ｐ２：給電パターン情報
Ｒ１，Ｒ２：読出部（出力部）
ＳＷ      ：スイッチ（選択操作部）
Ｙ１，Ｙ２：矩形図形（表示部）
【図１】
2014068185.tif 000003
【図２】
2014068185.tif 000004
【図３】
2014068185.tif 000005
【図４】
2014068185.tif 000006
【図５】
2014068185.tif 000007
【図６】
2014068185.tif 000008
【図７】
2014068185.tif 000009